(57)【要約】【課題】  複数のシリンダボアと、各シリンダボア内で往復移動するピストンと、吸入穴と吸入弁とを介して前記複数のシリンダボアに連通する吸入室と、吸入室に連通する吸入ポートと、吐出穴と吐出弁とを介して前記複数のシリンダボアに連通する吐出室と、吐出室に連通する吐出ポートとを備える多気筒往復動圧縮機であって、吐出室で発生した冷媒ガスの脈動に起因するエアコンシステム冷凍回路の騒音を、従来に比べて抑制できる多気筒往復動圧縮機を提供する。【解決手段】  複数のシリンダボアと、各シリンダボア内で往復移動するピストンと、吸入穴と吸入弁とを介して前記複数のシリンダボアに連通する吸入室と、吸入室に連通する吸入ポートと、吐出穴と吐出弁とを介して前記複数のシリンダボアに連通する吐出室と、吐出室に連通する吐出ポートとを備え、吐出室が複数の連通路を介して吐出ポートに連通している。【選択図】  図２
2005264888.tif 000002
【特許請求の範囲】
【請求項１】
複数のシリンダボアと、各シリンダボア内で往復移動するピストンと、吸入穴と吸入弁とを介して前記複数のシリンダボアに連通する吸入室と、吸入室に連通する吸入ポートと、吐出穴と吐出弁とを介して前記複数のシリンダボアに連通する吐出室と、吐出室に連通する吐出ポートとを備え、吐出室が複数の連通路を介して吐出ポートに連通していることを特徴とする多気筒往復動圧縮機。
【請求項２】
前記複数の連通路の入口は、吐出室囲壁の互いに離隔した部位に開口していることを特徴とする請求項１に記載の多気筒往復動圧縮機。
【発明の詳細な説明】
【技術分野】
【０００１】
本発明は、多気筒往復動圧縮機に関するものである。
【背景技術】
【０００２】
複数のシリンダボアと、各シリンダボア内で往復移動するピストンと、吸入穴と吸入弁とを介して前記複数のシリンダボアに連通する吸入室と、吸入室に連通する吸入ポートと、吐出穴と吐出弁とを介して前記複数のシリンダボアに連通する吐出室と、吐出室に連通する吐出ポートとを備える多気筒往復動圧縮機が特許文献１等に開示されている。
従来の多気筒往復動圧縮機においては、吐出室は単一の連通路を介して吐出ポートに連通している。
【特許文献１】実開平６−４３７８
【発明の開示】
【発明が解決しようとする課題】
【０００３】
従来の多気筒往復動圧縮機には、吐出室で発生した冷媒ガスの脈動が圧縮機に接続されたエアコンシステム冷凍回路に伝播し、冷凍回路のコンデンサが共鳴して、騒音が発生するという問題があった。
【０００４】
本発明は上記問題に鑑みてなされたものであり、複数のシリンダボアと、各シリンダボア内で往復移動するピストンと、吸入穴と吸入弁とを介して前記複数のシリンダボアに連通する吸入室と、吸入室に連通する吸入ポートと、吐出穴と吐出弁とを介して前記複数のシリンダボアに連通する吐出室と、吐出室に連通する吐出ポートとを備える多気筒往復動圧縮機であって、吐出室で発生した冷媒ガスの脈動に起因するエアコンシステム冷凍回路の騒音を、従来に比べて抑制できる多気筒往復動圧縮機を提供することを目的とする。
【課題を解決するための手段】
【０００５】
上記課題を解決するために、本発明においては、複数のシリンダボアと、各シリンダボア内で往復移動するピストンと、吸入穴と吸入弁とを介して前記複数のシリンダボアに連通する吸入室と、吸入室に連通する吸入ポートと、吐出穴と吐出弁とを介して前記複数のシリンダボアに連通する吐出室と、吐出室に連通する吐出ポートとを備え、吐出室が複数の連通路を介して吐出ポートに連通していることを特徴とする多気筒往復動圧縮機を提供する。
吐出穴から、吐出室囲壁に形成された吐出室と吐出ポートとの間の連通路の入口へ向けて流れる冷媒ガスが気柱を形成し、当該気柱が疎密波を形成して縦振動することにより、吐出室内に冷媒ガスの脈動が発生する。吐出室と吐出ポートとの間の連通路が単一であると、吐出室囲壁に形成された前記連通路の入口に最も遠い吐出穴と連通路入口との間に形成される最長気柱が最も低周波数で脈動し、前記連通路の入口に最も近い吐出穴と連通路入口との間に形成される最短気柱が最も高低周波数で脈動する。最低周波数の脈動は、エアコンシステム冷凍回路のコンデンサの共鳴を惹起し、騒音を惹起する可能性がある。本発明に係る多気筒往復動圧縮機においては、吐出室が複数の連通路を介して吐出ポートに連通しており、吐出室囲壁に連通路入口が複数形成され、吐出穴と当該吐出穴に近い連通路入口との間に気柱が形成されるので、単一の連通路入口しか有さない従来の多気筒往復動圧縮機に比べて、最長気柱長が短縮される。この結果冷媒ガス脈動の最低周波数が従来に比べて高くなり、最低周波数の脈動とエアコンシステム冷凍回路のコンデンサの共鳴が抑制され、ひいては、吐出室で発生した冷媒ガスの脈動に起因するエアコンシステム冷凍回路の騒音が抑制される。
【０００６】
本発明の好ましい態様においては、前記複数の連通路の入口は、吐出室囲壁の互いに離隔した部位に開口している。
前記複数の連通路の入口が、吐出室囲壁の互いに離隔した部位に開口していれば、吐出穴と当該吐出穴に近い連通路入口との間の距離の最大値は、従来の多気筒往復動圧縮機における吐出穴と連通路入口との間の距離の最大値に比べて確実に短縮される。この結果冷媒ガス脈動の最低周波数が従来に比べて確実に高くなり、最低周波数の脈動とエアコンシステム冷凍回路のコンデンサの共鳴が確実に抑制され、ひいては、吐出室で発生した冷媒ガスの脈動に起因するエアコンシステム冷凍回路の騒音が確実に抑制される。
【発明の効果】
【０００７】
本発明に係る多気筒往復動圧縮機においては、吐出室囲壁に連通路入口が複数形成され、吐出穴と当該吐出穴に近い連通路入口との間に気柱が形成されるので、単一の連通路入口しか有さない従来の多気筒往復動圧縮機に比べて、最長気柱長が短縮される。この結果冷媒ガス脈動の最低周波数が従来に比べて高くなり、最低周波数の脈動とエアコンシステム冷凍回路のコンデンサの共鳴が抑制され、ひいては、吐出室で発生した冷媒ガスの脈動に起因するエアコンシステム冷凍回路の騒音が抑制される。
【発明を実施するための最良の形態】
【０００８】
本発明を斜板式圧縮機に適用した実施例を説明する。
【実施例１】
【０００９】
図１に示すように、図示しない車載エアコンシステムの冷凍回路に接続された可変容量型斜板式圧縮機Ａは、駆動軸１０と、駆動軸１０に固定されたローター１１と、傾角可変に駆動軸１０に支持された斜板１２とを備えている。斜板１２は、斜板１２の傾角変動を許容するリンク機構１３を介してローター１１に連結され、ローター１１ひいては駆動軸１０に同期して回転する。
斜板１２の周縁部に摺接する一対のシュー１４を介してピストン１５が斜板１２に係留されている。ピストン１５のヘッド１５ａは、シリンダブロック１６に形成されたシリンダボア１６ａに挿入されている。複数のシリンダボア１６ａが周方向に互いに間隔を隔てて配設されており、各シリンダボア１６ａにピストンのヘッド１５ａが挿入されている。
駆動軸１０、ローター１１、斜板１２を収容するクランク室１７を形成する有底円筒状のフロントハウジング１８が配設されている。
円環状の吸入室１９ａと、吸入室１９ａの径方向内方に配設された円筒状の吐出室１９ｂとを形成するシリンダヘッド１９が配設されている。吸入室１９ａは吸入ポート２０に連通し、吐出室１９ｂは吐出ポート２１に連通している。
【００１０】
シリンダブロック１６とシリンダヘッド１９との間に吸入穴２２ａと吐出穴２２ｂとを有する弁板２２が配設されている。吸入穴２２ａは吸入室１９ａとシリンダボア１６ａとに連通し、吐出穴２２ｂは吐出室１９ｂとシリンダボア１６ａとに連通している。吸入穴２２ａを開閉するリード弁形式の吸入弁２３と、吐出穴２２ｂを開閉するリード弁形式の吐出弁２４と、吐出弁２４の開度を規制するリテーナ２５とが配設されている。
フロントハウジング１８、シリンダブロック１６、弁板２２、シリンダヘッド１９は、ボルト２６により一体に組み付けられている。
駆動軸１０はフロントハウジング１８、シリンダブロック１６により回転可能に支持されている。
【００１１】
図２に示すように、吐出室１９ｂは、２つの連通路２７ａ、２７ｂを介して吐出ポート２１に連通している。連通路２７ａ、２７ｂの入口２７ａ′２７ｂ′は、吐出室囲壁の平面視で略１８０度離隔した位置に開口している。
【００１２】
可変容量型斜板式圧縮機Ａにおいては、駆動軸１０の回転がローター１１、リンク機構１３を介して斜板１２に伝達される。斜板１２の回転に伴う斜板１２周縁部の駆動軸１０延在方向の往復動が、シュー１４を介してピストン１５に伝達される。ピストンのヘッド１５ａがシリンダボア１６ａ内で往復動し、エアコンシステム冷凍回路から還流し、吸入ポート２０と吸入室１９ａと吸入穴２２ａと吸入弁２３とを通ってシリンダボア１６ａに流入した冷媒ガスを圧縮する。
圧縮された冷媒ガスは吐出穴２２ｂと吐出弁２４とを通って、吐出室１９ｂに吐出する。吐出穴２２ｂから吐出室１９ｂに吐出した冷媒ガスは、連通路入口２７ａ′、２７ｂ′の中、近い方の連通路入口へ向けて流れ、当該入口から連通路へ流入し、連通路を通って吐出ポート２１に到達し、エアコンシステムの冷凍回路へ還流する。
【００１３】
吐出穴２２ｂから連通路入口２７ａ′、２７ｂ′へ向けて流れる冷媒ガスにより気柱が形成されるが、図２から分かるように、最長気柱長は、連通路入口が単一である場合に比べて、明らかに短縮している。この結果、気柱の縦振動により発生する冷媒ガス脈動の最低周波数が従来に比べて高くなり、最低周波数の脈動とエアコンシステム冷凍回路のコンデンサの共鳴が抑制され、ひいては、吐出室で発生した冷媒ガスの脈動に起因するエアコンシステム冷凍回路の騒音が抑制される。
【００１４】
連通路２７ａ、２７ｂの入口２７ａ′、２７ｂ′が、吐出室囲壁の互いに離隔した部位に開口しているので、吐出穴２２ｂと当該吐出穴に近い連通路入口２７ａ′又は２７ｂ′との間の距離の最大値は、連通路が単一であり連通路入口も単一である従来の多気筒往復動圧縮機における吐出穴と連通路入口との間の距離の最大値に比べて確実に短縮される。この結果冷媒ガス脈動の最低周波数が従来に比べて確実に高くなり、最低周波数の脈動とエアコンシステム冷凍回路のコンデンサの共鳴が確実に抑制され、ひいては、吐出室で発生した冷媒ガスの脈動に起因するエアコンシステム冷凍回路の騒音が確実に抑制される。
吐出室１９ｂを３つ以上の連通路を介して吐出ポート２１に連通させても良い。
【産業上の利用可能性】
【００１５】
本発明は斜板式圧縮機に限らず、複数のシリンダボアと、各シリンダボア内で往復移動するピストンと、吸入弁を介して前記複数のシリンダボアに連通する吸入室と、吸入室に連通する吸入ポートと、吐出弁を介して前記複数のシリンダボアに連通する吐出室と、吐出室に連通する吐出ポートとを備える種々の往復動圧縮機に適用可能である。
【図面の簡単な説明】
【００１６】
【図１】本発明の実施例に係る斜板式圧縮機の断面図である。
【図２】図１のII−II矢視図である。
【符号の説明】
【００１７】
Ａ  可変容量型斜板式圧縮機
１０  駆動軸
１１  ローター
１２  斜板
１３  リンク機構
１４  シュー
１５  ピストン
１５ａ  ヘッド
１６  シリンダブロック
１６ａ  シリンダボア
１８  フロントハウジング
１９  シリンダヘッド
１９ｂ  吐出室
２７ａ、２７ｂ  連通路
２７ａ′、２７ｂ′  連通路入口
【図１】
2005264888.tif 000003
【図２】
2005264888.tif 000004